(57)【要約】      （修正有）【課題】輸送用梱包箱に固定が容易な直動案内装置用仮軸を提供する。【解決手段】直動案内装置１０は、案内レール１１と、スライダ２１と、複数個の転動体と、を備え、直線運動する装置である。直動案内装置１０を組み立てるためにスライダ２１を案内レール１１に取り付ける際や、スライダ２１単体で輸送する際に、案内レール１１を模した仮軸が使用される。仮軸凹部と梱包箱凸部を係合することにより、スライダ２１が設けられた仮軸１１が固定でき梱包する作業を短縮することができる。【選択図】図１
2017036751.tif 000002
【特許請求の範囲】
【請求項１】
案内レールと、スライダと、複数個の転動体と、を備え、前記案内レールおよびスライ
ダは、互いに対向配置されて転動体の転動通路を形成する転動面を有し、前記転動通路を
転動体が転動することにより、案内レールおよびスライダの一方が他方に対して相対的に
直線運動するリニアガイド装置の前記スライダを保持する、前記案内レールの転動面が形
成されている側面を模した面と、前記案内レールの長手方向に垂直な断面を模した断面形
状を有する仮軸であって、前記仮軸の軸方向下部に凹部を有し、前記凹部と梱包箱の底部において、前記底部と前記仮軸の軸方向下部に凹部が係合している状態で輸送が可能な直動案内装置。
【発明の詳細な説明】
【技術分野】
【０００１】
本発明は、直動案内装置のスライダを保持する直動案内装置用仮軸に関する。
【背景技術】
【０００２】
直動案内装置は、案内レールと、スライダと、複数個の転動体と、を備え、前記案内レールおよびスライダは、互いに対向配置されて転動体の転動通路を形成する転動面を有し、転動通路を転動体が転動することにより、案内レールおよびスライダの一方が他方に対して相対的に直線運動する装置である。直動案内装置を組み立てるためにスライダを案内レールに取り付ける際や、スライダ単体で輸送する際に、案内レールを模した仮軸が使用される。  
【０００３】
仮軸を用いてスライダを案内レールに取り付ける際には、スライダを仮軸に取り付けた状態で、仮軸と案内レールの端面同士を接触させ、スライダを案内レールに向けて滑らせる。仮軸を用いることで、スライダが案内レールに取り付け易くなり、転動体が脱落することが防止される。  このような直動案内装置用仮軸は、従来、特許文献１の［０００７］に記載されているように、合成樹脂をブロー成形する方法等により製造されている。また、特許文献１の［００５０］に記載され図６に示されているように、合成樹脂の射出成形体からなる仮軸の場合には、機能上必要がない部分に肉ヌスミを設けることも行われている。  
【０００４】
また、他の直動案内装置用仮軸としては、特許文献２に記載されているように、直動案内装置のスライダ等の摺動体が摺動可能に嵌挿される扁平な支持体と、その長さ方向両端部にそれぞれ設けられた係止体とを備え、支持体の長手方向中間部両側面にレール状のガイド突条が長さ方向に沿って一体に設けられている。このガイド突条が摺動体の転動体の転動溝に係合するように摺動体を摺動させ、摺動体の両端を係止体で係止することにより、支持体に摺動体を係止するようにしている。
【先行技術文献】
【特許文献】
【０００５】
【特許文献１】特開平１１−６２９５９号公報
【特許文献２】実開平７−４３４９７号公報
【発明の概要】
【発明が解決しようとする課題】
【０００６】
従来、直動案内軸受のスライダをレールに挿入する際、または、スライダ単品を輸送する際に、転動体の脱落の防止や、スライダをレールに挿入しやすくする為に、レールの断面形状とほぼ同じ断面形状となる仮軸（特開平11-62959に記載の部品）を使用している。仮軸梱包時、仮軸を梱包箱に固定の仕方によって、輸送時に、転動体の脱落と言った課題がある。
【０００７】
特に、特許文献１に記載の直動案内装置用仮軸は、梱包時に仮軸を梱包箱に固定の仕方によって、輸送時に、転動体の脱落を防ぐために接着テープなどで固定するなどの工夫が必要になる。
そこで、本発明は、上記特許文献に記載された従来例の課題に着目してなされたものであり、仮軸凹部と梱包箱凸部を係合することにより、スライダが設けられた仮軸が固定でき梱包する作業を短縮することができる。
【課題を解決するための手段】
【０００８】
上記課題を解決するために、本発明の一態様に係る直動案内装置用仮軸は、梱包箱に挿入するとき、仮軸を押すと仮軸の底面は、梱包箱凸部斜面に沿って移動する。仮軸の移動の途中で、仮軸凹部と梱包箱凸部が係合するよう形成されている。
【発明の効果】
【０００９】
本発明の一態様によれば、仮軸凹部と梱包箱凸部を係合することにより、スライダが設けられた仮軸が固定でき梱包する作業を短縮することができる。
【図面の簡単な説明】
【００１０】
【図１】直動案内装置を示す斜視図である。
【図２】本発明の一実施形態に係る直動案内装置用仮軸のスライダを装着し梱包した状態を示す斜視図である。
【図３】図２のＡ部を拡大して示す拡大図である。
【発明を実施するための形態】
【００１１】
次に、図面を参照して、本発明の一実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。  
【００１２】
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。  
【００１３】
直動案内装置は、図１に示すように、軸方向に延びる断面形状が略四角形の仮軸１１に、スライダ２１が軸方向に移動可能に案内されている。
仮軸１１は、軸方向両端面の他に、軸方向に延びる４つの外面を有する。４つの外面のうち上面１１ａと左右両側面１１ｂ，１１ｃとが交差する稜部には、それぞれ軸方向に延びる断面ほぼ１／４円弧形状の転動体転動溝１２が形成されている。また、仮軸１１の左右両側面１１ｂ，１１ｃの上下方向略中間位置には、それぞれ軸方向に延びる断面ほぼ１／２円弧形状の転動体転動溝１３が形成されており、下部位置にはそれぞれ凹部１４が形成されている。
【００１４】
また、スライダ２１は、案内レール１１が有する前記４つの外面のうち上面１１ａに沿
う平板部２２と、この平板部２２の左右両側部からそれぞれ下方に延び側面１１ｂ，１１
ｃに沿う２つの腕部２３，２４とを備えている。
このようなスライダ２１は、スライダ本体２１Ａと、その軸方向両端部に着脱可能に取
り付けられたエンドキャップ２１Ｂとで構成されている。さらに、スライダ２１の軸方向
両端部には、案内レール１１とスライダ２１との間の隙間の開口部分のうち軸方向に向く
開口部分を密封するサイドシール２５が装着されている。
【００１５】
図２に示すように、直動案内装置１０は梱包箱３１に内在しており、図３に示す図２のＡ部において仮軸１１の左右両側面１１ｂ，１１ｃの下部位置の凹部１４と梱包箱３１の底面にある凸部３２に係合するように装着されている。なお、ベアリングを設けた仮軸を梱包箱に挿入するとき、仮軸を押すと仮軸の底面は、梱包箱凸部斜面に沿って移動する。仮軸の移動の途中で、仮軸１１の凹部１４と梱包箱３１の凸部３２が係合する。そのため、ベアリングを設けた仮軸の梱包が容易になり、仮軸と梱包箱が凹凸にて係合するため、転動体がスライダから落下、脱落することはない。
【符号の説明】
【００１６】
１０…直動案内装置、１１…仮軸、１２，１３…転動体転動溝、１４…凹部、２１…スライダ、２３、２４…腕部、２５…サイドシール、３１…梱包箱、３２…凸部
【図１】
2017036751.tif 000003
【図２】
2017036751.tif 000004
【図３】
2017036751.tif 000005